(57)【要約】【課題】  簡単に石鹸成分等で浴湯表面に泡を形成することができる発泡剤用容器とこれに入れる発泡剤を提供する。【解決手段】  水面に浮く浮部２２，３４と、浮部３４の喫水線よりも上方に設けられ界面活性剤成分により形成された泡が内側から外側に吐き出される吐出口３３を備える。浮部２２の下側には、略逆円錐形の袋部材１２と、袋部材１２の頂部１２ａ近傍に形成され水が外側から内側に流入する吸入口１４を有する。吐出口３３は浮部２２，３４の円周方向に沿ってほぼ等間隔に複数個設けられている。発泡剤４２は、炭酸ガスを発生する気泡発生剤４４と、界面活性剤成分である石鹸成分とを含有する。【選択図】        図１
2005125067.tif 000002
【特許請求の範囲】
【請求項１】
水面に浮く浮部と、上記浮部の喫水線よりも上方に設けられ界面活性剤成分により形成された泡が内側から外側に吐き出される吐出口と、上記浮部の下側に取り付けられ界面活性剤成分を有する発泡剤を収容する収容部材と、上記収容部材の下端部近傍に形成され水が外側から内側に流入する吸入口が設けられていることを特徴とする発泡剤用容器。
【請求項２】
上記浮部は略円形に形成され、上記浮部の上面に同心円状に上記吐出口が設けられ、上記吐出口は上記浮部の円周方向に沿ってほぼ等間隔に複数個設けられていることを特徴とする請求項１記載の発泡剤用容器。
【請求項３】
上記浮部の上面に、上記吐出口に隣接して放射方向に周縁部に向かって設けられた凹部を備えることを特徴とする請求項１記載の発泡剤用容器。
【請求項４】
上記収容部材の上記吸入口の上方に、上記発泡剤が位置することを特徴とする請求項１記載の発泡剤用容器。
【請求項５】
上記収容部材には、上記吸入口と上記浮部との間に、透孔を有する内底部が設けられ、上記内底部に発泡剤が位置することを特徴とする請求項１記載の発泡剤用容器。
【請求項６】
炭酸ガスを発生する気泡発生剤と界面活性剤成分とを含有したことを特徴とする発泡剤。
【請求項７】
上記発泡剤は、上記気泡発生剤粉末と、上記界面活性剤である石鹸成分粉末に入浴剤を加えた部分とを別々に固めたことを特徴とする請求項６記載の発泡剤。
【請求項８】
上記界面活性剤は、浴槽洗浄剤であることを特徴とする請求項６記載の発泡剤。
【発明の詳細な説明】
【技術分野】
【０００１】
この発明は、発泡剤とともに浴槽等に入れる発泡剤用容器とこれに入れる発泡剤に関する。
【背景技術】
【０００２】
従来、例えば浴槽に入れる入浴剤は、液体、粉末、固形等いろいろな種類がある。そして固形の入浴剤は、湯に直接入れて沈めて溶かす以外に、湯に浮かぶ玩具のような容器に入れ、湯面で溶かすものがある。
【０００３】
このような固形の入浴剤を入れて湯面に浮かべる容器として、特許文献１の遊具や、特許文献２の入浴剤玩具がある。これらの容器には、浮力体と、浮力体の下に取り付けられ炭酸ガス発泡入浴剤を入れる腔部形成体と、腔部形成体の一箇所に、気泡を吐出する透孔が設けられている。これらの容器の使用方法は、腔部形成体内に炭酸ガス発泡入浴剤を入れ浴槽に入れると、浴湯に浸かって炭酸ガス発泡入浴剤が溶解し始め、有効成分が溶出すると共に炭酸ガスが発生する。すると炭酸ガス圧が腔部形成体内にかかり、腔部形成体内の湯が透孔から吐出し、遊具は透孔と反対側に向かって進行する。
【０００４】
また、容器が一方向に進行せずほぼ一定位置で回転する容器として、特許文献３の入浴剤収容用浮具がある。この浮具は、蓋体を有する浮具本体と浮具本体内に発泡入浴剤配設部が備えられ、浮具本体の略対峙する部分に一対の貫通孔が形成されている。この貫通孔は、遊具本体の壁に対して水平に同じ方向に傾斜して設けられている。この容器の使用方法は、発泡入浴剤を浮具本体内に入れ、浴槽に沈める。すると、有効成分が溶出すると共に炭酸ガスが発生し、遊具本体内の湯が貫通孔から斜め方向に突出し、その反力により、浮具本体が回転する。一定時間経過後、浮具本体内の湯面は下降し、一時的に浮具本体内のガス圧が外部に抜け出て、上記噴出が止まる。その後、時間の経過により容器内にガスが溜まると、再び噴出が始まり、浮具本体が回転するというものである。
【特許文献１】特開平１１−２０７０４５号公報
【特許文献２】特開２００３−１０３０６４号公報
【特許文献３】実用新案登録第２５６４３７４号公報
【発明の開示】
【発明が解決しようとする課題】
【０００５】
従来の固形の発泡入浴剤を入れる容器は、子供用の玩具であり、これら容器は、一方向に進行したり、断続的に回転するものであった。しかし、入浴剤の溶け出した成分を均一に水面に広げる機能はなかった。また、これらに使用される入浴剤は、温泉湯の湯成分、芳香成分、着色成分、また血行促進作用を有する炭酸成分を含有させただけのものであり、微細な泡を浴湯表面に浮かせるものではなかった。一方、泡風呂のように石鹸成分を含む入浴剤は、浴槽の湯面に均一にきめ細かな泡を広げることが難しいものであった。
【０００６】
この発明は、上記従来の技術の課題に鑑みてなされたものであり、簡単に界面活性剤成分で浴湯表面に泡を形成することができる発泡剤用容器と、これに入れる発泡剤を提供することを目的とする。
【課題を解決するための手段】
【０００７】
本発明は、水に浮く略円形や船型等の浮部と、上記浮部の喫水線よりも上方に設けられ界面活性剤成分により形成された泡が内側から外側に吐き出される吐出口と、上記浮部の下側に取り付けられ界面活性剤成分を有する発泡剤を収容する収容部材と、上記収容部材の下端部近傍に形成され水が外側から内側に流入する吸入口が設けられている発泡剤用容器である。また、上記浮部は略円形に形成され、上記浮部の上面に同心円状に上記吐出口が設けられ、上記吐出口は上記浮部の円周方向に沿ってほぼ等間隔に複数個設けられているものでも良い。さらに、上記浮部の上面に、上記吐出口に隣接して放射方向に周縁部に向かって設けられた凹部を備えるものでも良い。
【０００８】
上記収容部材は、上記吸入口の上方に発泡剤が位置するように形成されている。また、上記収容部材には、上記吸入口と上記浮部との間に、透孔を有する内底部が設けられ、上記内底部に発泡剤が入れられてもよい。上記収容部材は、例えば不織布等で作られた袋体や薄い合成樹脂で作られたカップ部材である。上記浮部には、動物やその他のキャラクタや船等の意匠を設けたものでも良い。
【０００９】
またこの発明は、炭酸ガスを発生する気泡発生剤と界面活性剤成分とを含有した入浴剤等から成る発泡剤である。上記発泡剤は、上記気泡発生剤粉末と、上記界面活性剤である石鹸成分粉末に入浴剤を加えた部分とを別々に固めたものである。さらに、上記界面活性剤は、浴槽洗浄剤でも良い。
【発明の効果】
【００１０】
この発明の発泡剤用容器は、簡単な構造で、界面活性剤と気泡発生剤成分により十分に泡立ち、浴槽の湯面全体にきめ細かな泡を満たすことができる。これにより、浴槽に入る際には、泡の感触を感じて心地よく入浴することができる。また、この発明の発泡剤は、気泡発生剤と界面活性剤とにより、湯面にきめ細かな泡を容易に浮かべることができ、入浴剤や洗浄剤として簡単に利用することができる。
【発明を実施するための最良の形態】
【００１１】
以下、この発明の実施形態について図面に基づいて説明する。図１〜図４はこの発明の第一実施形態を示すものであり、この実施形態の発泡剤用容器１０は、後述する発泡剤４２を入れる収容部材である略円錐形の袋部材１２が設けられている。袋部材１２は柔軟な合成樹脂等で作られ、頂部１２ａ近傍には、互いに円周方向に等間隔に、例えば４個の透孔である吸入口１４が形成されている。袋部材１２の内側には、吸入口１４よりも頂部１２ａから少し離れた部分に、袋部材１２の中心軸に対して直角方向に、形状保持リング１６が嵌合され、袋部材１２の形状を保持している。形状保持リング１６は、適宜取り付ければよい。
【００１２】
袋部材１２の頂部１２aと反対側の開口部１２ｂには、硬い合成樹脂で作られた下ケース１８が取り付けられている。下ケース１８には、袋部材１２の開口部１２ｂの内側に差し込まれる円筒部２０が設けられている。円筒部２０の外側面には、円筒部２０の途中から円筒部２０に対してほぼ直角に外側に広がる下側浮部２２が一体に設けられ、下側浮部２２の周縁部２２aは皿状に上方に湾曲している。下側浮部２２の周縁部２２ａの外周面には、後述する上ケース２８の上側浮部３４が係止される係合突起２４が一周して形成されている。
【００１３】
袋部材１２の開口部１２ｂは、下ケース１８の円筒部２０と下側浮部２２の境界付近に位置し、袋部材１２の開口部１２ｂの外側面には、袋部材１２を下ケース１８の円筒部２０に押し付ける押さえリング２６が嵌められている。押さえリング２６の断面形状は、円筒部２０と下側浮部２２の境界付近に密着するＬ字形である。
【００１４】
下ケース１８には、下ケース１８の上面を覆う円板状の上ケース２８が取り付けられている。上ケース２８は、下ケース１８と同様に硬い合成樹脂で作られている。上ケース２８の中心部分は、円板状の蓋部３０として形成されている。蓋部３０の周縁部下側面には、円周方向に等間隔に４本の支持部３２が下方に向かって形成され、各支持部３２の下端にはドーナッツ状の上側浮部３４が一体に設けられている。一対の支持部３２と蓋部３０と上側浮部３４で囲まれた空間は、吐出口３３となる。上側浮部３４の外周縁部３４aは下方に湾曲し、湾曲した内周面には、下ケース１８の下側浮部２２の係合突起２４が係止される係合溝３６が一周して設けられている。上側浮部３４の、外周縁部３４aと内周縁部３４ｂの間の、下側面には、下ケース１８の円筒部２０の外側面に嵌められる筒状固定部３８が設けられている。
【００１５】
上側浮部３４には、図２に示すように、一対の支持部３２の中間位置に、上側浮部３４の内周縁部３４ｂから略放射方向に、凹部４０が設けられている。凹部４０の外周縁部３４a側の先端は、放射方向に対して一定の方向に湾曲し、ここでは図２において凹部４０の外側先端が時計回り進行方向に湾曲している。そして凹部４０は、外側先端に近づくほど、幅が細く形成されている。
【００１６】
下ケース１８に取り付けられた袋部材１２の内側には、入浴剤成分を有した固形の発泡剤４２が入れられている。発泡剤４２は、二層構造または２体であり、炭酸成分を含む入浴剤の気泡発生剤４４の層と、界面活性剤である石鹸成分４６やその他の入浴剤を含有した層が設けられ、石鹸成分４６は、気泡発生剤４４よりも薄く形成されている。なお、発泡剤４２に入れる入浴剤成分は、各種温泉成分等を適宜選択可能である。
【００１７】
気泡発生剤の成分としては、例えば炭酸ナトリウム５０％、コハク酸４２％、ポリビニルピロリドンまたはリンゴ酸１％、ポリエチレングリコール等の滑沢剤５％、粉末洗剤２％等である。石鹸成分４６の層は、炭酸水素ナトリウム１８％、炭酸ナトリウム２５％、コハク酸２５％、滑沢剤２０％、粉末洗剤１２％等である。これらの成分や層の構成は適宜変更しうる。
【００１８】
次に、この実施形態の発泡剤用容器１０の使用方法について説明する。まず、上ケース２８を下ケース１８から開けて、袋部材１２の中に発泡剤４２を入れ、上ケース２８の係合溝３６に下ケース１８の係合突起２４を弾性変形させて差し込み、係止する。この状態で、発泡剤４２とともに発泡剤用容器１０を浴槽の浴湯に入れる。発泡剤用容器１０は、上ケースの上側浮部３４と下ケース１８の下側浮部２２で囲まれた浮部が形成され、その空間には空気が閉じこめられ、浴湯水面に浮かび、袋部材１２は、浴湯の水面下に位置する。また、この状態で吐出口３３は、喫水線よりも上方に位置する。
【００１９】
袋部材１２の吸入口１４からは、浴湯が浸入し、発泡剤４２の気泡発生剤４４と石鹸成分４６を溶かし、溶けた石鹸成分に、発生した炭酸ガスが当たり撹拌され泡立つ。この泡は上昇して、上ケース２８の支持部３２間の吐出口３３から外に吐き出される。このとき、上側浮部３４と下側浮部２２の環状の内側であって、下ケース１８の円筒部２０の内側空間が、界面活性剤と気泡により形成された泡の溜まりとなり、吐出口３３から連続的に吐出可能となる。吐き出された泡は、凹部４０に沿って一定方向に吐出する。そして、その吐出する泡の反力により、発泡剤用容器１０が一定方向に回転する。また、泡は浴湯表面に自然に広がり、浴槽に満たされる。
【００２０】
この実施形態の発泡剤用容器１０によれば、簡単に石鹸成分の泡をたて、浴槽に満たすことができ、入浴時に泡の感触を得ることができ、快適に体を洗うことができる。発泡剤４２は、気泡発生剤４４と石鹸成分４６が二層に分かれているため、泡立ちが良好である。また、袋部材１２は形状保持リング１６によりつぶれることがなく、入浴剤の泡立ちや、泡と水の流れが、支障なく円滑に行われる。
【００２１】
次にこの発明の第二実施形態について、図５に基づいて説明する。ここで、上記実施の形態と同様の部材は同様の符号を付して説明を省略する。この実施形態の発泡剤用容器４８は、発泡剤４２を入れる収容部材である袋部材５０が設けられている。袋部材５０は、筒状の不織布で作られ、袋部材５０の一端部５０ａが、他方の端部５０ｂよりも幅が狭くなる円錐状に形成されている。袋部材５０の一端部５０ａは開口し、吸入口５２となっている。袋部材５０の他端部５０ｂは、下ケース１８の円筒部２０の外側面の下端部付近に接着剤等で取り付けられている。
【００２２】
下ケース１８には、その円筒部２０の外側面の途中から、下側浮部２２が一体に設けられている。下側浮部２２の周縁部２２ａの外周面には、係合突起２４が一周して形成され、下ケース１８の上面を覆う環状の上ケース５４が取り付けられている。上ケース５４の中央部分は、下ケース１８の円筒部２０に連通する開口部５６となる。開口部５６の周縁部５６ａの少し外周側には、下ケース１８の円筒部２０の外側面に嵌められる筒状固定部５８が設けられている。開口部５６の周囲部分はドーナッツ状の上側浮部３４であり、上側浮部３４の外周縁部３４aは下方に湾曲し、湾曲した内周面には、下ケース１８の下側浮部２２の係合突起２４が係止される係合溝３６が一周して設けられている。
【００２３】
上側浮部３４には、開口部５６の周縁部５６ａから略放射方向に凹部４０が設けられている。凹部４０は、開口部５６の周縁部５６ａに沿って４等分した位置に４箇所設けられている。また、筒状固定部５８の内周面６０には、開口部５６の周縁部５６近傍で一対の凹部４０の中間に、一対のガイド突起６２が開口部５６の周縁部５６ａに沿って並べられて形成されている。
【００２４】
上ケース５４の開口部５６には、蓋部材６４が着脱自在に取り付けられ、蓋部材６４には開口部５６とほぼ同じ大きさで上方にわずかに湾曲した円板部６６が設けられている。円板部６６の周縁部の等間隔に４か所には、円板部６６の下側に突出する支持部６８が設けられ、支持部６８の下端部には、係止突起７０が外側に突出して設けられている。支持部６８の幅は、筒状固定部５８の内周面に設けられた一対のガイド突起６２の間にわずかなゆとりを有して嵌合される幅に形成されている。支持部６８の係止突起７０は、上ケース５４の開口部５６の周縁部５６ａと筒状固定部５８、下ケース１８の円筒部２０に囲まれて形成された溝部に、支持部６８を弾性変形させて嵌合され、取り付けられる。このとき、一対の支持部６８と円板部６６、上側浮部３４で囲まれた空間は、吐出口７２となる。
【００２５】
次に、この実施形態の発泡剤用容器４８の使用方法について説明する。まず、上ケース５４を下ケース１８に取り付け、袋部材５０の中に発泡剤４２を入れ、上ケース５４の開口部５６の周縁部５６ａ下側に、蓋部材６４の支持部６８を弾性変形させて差し込み、蓋部材６４を上ケース５４に係止する。この状態で、発泡剤４２とともに発泡剤用容器４８を浴槽の浴湯に入れる。
【００２６】
袋部材５０の吸入口５２からは、浴湯が浸入し、発泡剤４２の気泡発生剤４４と石鹸成分４６を溶かし、溶けた石鹸成分に、発生した炭酸ガスが当たり撹拌され泡立つ。この泡は上昇して、上ケース５８と蓋部材６４との間の吐出口７２内に溜まり、吐出口７２から外に吐き出される。吐き出された泡は、凹部４０に沿って一定方向に吐出する。そして、その吐出する泡の反力により、発泡剤用容器４８が一定方向に移動または回転する。また、泡は浴湯表面に自然に広がり、浴槽に満たされる。
【００２７】
この実施形態の発泡剤用容器４８によれば、上記実施形態と同様の効果を有するものである。そして、袋部材５０が不織布で作られているため、コストが安価で、加工や取り扱いが容易である。
【００２８】
次にこの発明の第三実施形態について、図６に基づいて説明する。ここで、上記実施の形態と同様の部材は同様の符号を付して説明を省略する。この実施形態の発泡剤用容器７４は、発泡剤４２を入れる収容部材であるカップ部材７６が設けられている。カップ部材７６は、薄い合成樹脂で作られ適度な保形性を有し、円形の底部７８と円筒状の側面部８０が設けられている。側面部８０の上端部は、下ケース１８の円筒部２０の外側面の下端部付近に嵌合または接着により取り付けられている。底部７８には、所定形状の切込線が形成され、切込線の内側部分が底部７８内側に折り曲げられて吸入口８０が開口されている。カップ部材７６の内側で、底部７８近傍に底部７８に対して平行に内底部８２が設けられ、内底部８２には、透孔８４が設けられている。なお、底部７８の吸入口８０と内底部８２の透孔８４の形状は自由に設計することができ、また内底部８２はなくても使用可能である。
【００２９】
次に、この実施形態の発泡剤用容器７４の使用方法について説明する。まず、上ケース５４を下ケース１８に取り付け、カップ部材７６の中に発泡剤４２を入れ、上ケース５４の開口部５６の周縁部５６ａ下側に、蓋部材６４の支持部６８を弾性変形させて差し込み、蓋部材６４を上ケース５４に係止する。発泡剤４２は、カップ部材７６の内底部８２に載置される。この状態で、発泡剤４２とともに発泡剤用容器７４を浴槽の浴湯に入れる。
【００３０】
そして、カップ部材７６の吸入口８０と内底部８２の透孔８４から浴湯が進入し、発泡剤４２から発生する泡が吐出口７２から吐き出され、その吐出する泡の反力により、発泡剤用容器７４が回転し、泡は浴湯表面に広がり浴槽に満たされる。
【００３１】
この実施形態の発泡剤用容器７４によれば、上記実施形態と同様の効果を有するものである。そして、カップ部材７６は耐久性があり繰り返し使用が可能であり、透明な樹脂で作ることにより発泡剤４２の解ける様子を外から確認することができる。また、吸入口８０は、ネットで塞がれた構造でも良い。
【００３２】
なお、この発明の発泡剤用容器は、上記実施の形態に限定されるものではなく、寸法、個数、材質、形状、その相対配置など、適宜変更可能である。例えば、界面活性剤は、浴槽洗浄剤で良く、入浴後に湯を捨てる前に湯の中にこの発泡剤を入れて発泡させ、湯面に浴槽洗浄剤の気泡を浮かべた後、湯を捨てることにより、浴槽内壁面の汚れが浴槽洗浄剤の気泡により自然に流される。
【００３３】
また、発泡剤用容器に入れる発泡剤は、上記二層構造の入浴剤である発泡剤以外でも良い。また発泡剤に含まれる界面活性剤の石鹸成分は、合成洗剤等、適宜選択可能であり、形状や形態は問わない。また、上側浮部の蓋部には、動物やその他のキャラクタや、船等の意匠を設けても良い。
【００３４】
その他、この発泡剤用容器の使用後に、蓋部３０を除去して蓋部の位置に球根を置いて水面に浮かせ、水栽培に利用することができる。その際、袋部材１２内に石等の重りを入れておくことにより、植物が水上で安定する。
【図面の簡単な説明】
【００３５】
【図１】この発明の一実施形態の発泡剤用容器の縦断面図である。
【図２】この実施形態の発泡剤用容器の上ケースの上面図（Ａ）、I−I断面図（Ｂ）、及び凹部のII−II断面図（Ｃ）である。
【図３】この実施形態の発泡剤用容器の上ケース側から見た斜視図である。
【図４】この実施形態の発泡剤用容器の袋部材から見た斜視図である。
【図５】この発明の第二実施形態の発泡剤用容器の縦断面図である。
【図６】この発明の第三実施形態の発泡剤用容器の縦断面図である。
【符号の説明】
【００３６】
１０  発泡剤用容器
１２  袋部材
１４  吸入口
１６  形状保持リング
１８  下ケース
２０  円筒部
２２  下側浮部
２４  係合突起
２６  押さえリング
２８  上ケース
３０  蓋部
３２  支持部
３３  吐出口
３４  上側浮部
３６  係合溝
３８  筒状固定部
４０  凹部
４２  発泡剤
４４  気泡発生剤
４６  石鹸成分
【図１】
2005125067.tif 000003
【図２】
2005125067.tif 000004
【図３】
2005125067.tif 000005
【図４】
2005125067.tif 000006
【図５】
2005125067.tif 000007
【図６】
2005125067.tif 000008